(57)【要約】【課題】多色刷りを可能としてしかも簡便さ、スピーディさをもったネイルアートを希望する需要が増加し、その図柄・色を自分自身が考えているように作ることが出来るような装置を求めている。【解決手段】ネイルアート用インクテープの色インクを爪一つ単位に仕切り、インクの厚みが一定になるように作り、単色又は多色のネイルアートのパターン構成をコンピュータによって作り出し、画面上に示された図柄に必要なインクをサーマルヘッドによって取り出すためにテープの片面に微少の穴を開け、転写用パッドを押し付けて必要なパターンのインクを転写する手段を提供すること。【選択図】図２
2007130765.tif 000002
【特許請求の範囲】
【請求項１】
極薄の熱可塑性のプラスチックフィルム二枚に挟まれた前記プラスチックフィルムの補強とインキの吐出均一化を図る一枚の繊維性支持体を内側にして重ね、前記繊維性支持体上にインクを一様に伸ばして塗布した状態で、三枚重ねの周囲を一様に貼り合わせ密閉構造としたことを特徴とするネイルアート用スタンプインクテープ。
【請求項２】
極薄の熱可塑性のプラスチックフィルム二枚に挟まれた前記プラスチックフィルムの補強とインキの吐出均一化を図る二枚又は一枚を折り畳んだ繊維性支持体を内側にして重ね、前記繊維性支持体二枚又は折り畳んだ中央にインクを数十μｍに一様に伸ばして塗布した状態で、四枚重ねの周囲を一様に貼り合わせ密閉構造としたことを特徴とするネイルアート用スタンプインクテープ。
【請求項３】
前記密閉空間内のインクはスタンプパッドに適する粘度に調整されたものであることを特徴とする請求項１又は請求項２に記載のネイルアート用スタンプインクテープ。
【請求項４】
前記プラスチックフィルムには密閉空間の両側並行又は片側にスプロケット孔が作られ基準インクマーク及びサーマルヘッド・クリーニング・スペースマークを備えていることを特徴とする請求項１又は請求項２に記載のネイルアート用スタンプインクテープ。
【請求項５】
前記プラスチックフィルム併せ面を溶着して作られた密閉空間の大きさは手の爪と同等の大きさに仕切られていることを特徴とする請求項１又は請求項２に記載のネイルアート用スタンプインクテープ。
【請求項６】
前記密閉空間内に数十μｍに一様に伸ばして構成されたインクは通常使われる各種の色を順番に並べ、しかも繰り返し同一の色が現れるように構成されたことを特徴とする請求項１又は請求項２に記載のネイルアート用スタンプインクテープ。
【請求項７】
前記インクは通常使われる異なる色を同一順番に並べ、繰り返し同一の色が現れた後にサーマルヘッドをクリーニングするスペースを構成したことを特徴とする請求項１又は請求項２に記載のネイルアート用スタンプインクテープ。
【請求項８】
コンピュータ乃至は制御装置によって操作されるプリンタのサーマルヘッドの発生する熱によって、前記ネイルアート用スタンプインクテープのプラスチックフィルム表面に微少の孔を開け、インクの取り出し口を作成することを特徴とするネイルアートプリンタ。
【請求項９】
前記コンピュータ乃至は制御装置によって作られる文字や絵のパターン信号に従って、選択された色インクの前記プラスチックフィルムの表面に微少の孔が開けられ、スタンプパッドを押し当てインクの文字や絵のパターンを写し取って転写に利用することを特徴とする請求項８に記載のネイルアートプリンタ。
【請求項１０】
前記コンピュータ乃至は制御装置によって作られる文字や絵のパターン信号は、遠隔地から通信線やインターネットを利用してデータとして取り込み印刷することを特徴とする請求項８に記載のネイルアートプリンタ。
【請求項１１】
前記スタンプインクテープのサーマルヘッドをクリーニングするスペース上にサーマルヘッドが到達した時にヘッドクリーナ溶剤を噴霧しサーマルヘッド表面を洗浄することを特徴とする請求項８に記載のネイルアートプリンタ。  
【請求項１２】
爪のサイズ及び爪のインク転写位置をＣＣＤカメラによって撮影し、最適な大きさの文字や絵のパターンと印刷位置をコントロールすることを特徴とする請求項８に記載のネイルアートプリンタ。
【発明の詳細な説明】
【技術分野】
【０００１】
本発明は随意に選べる色と模様のネイルアートの作成に関する。
【背景技術】
【０００２】
ネイルアートはいままで絵や模様を印刷した転写テープ（シール）を利用するか又は模様のステンシルのパターンを利用して転写インク膜をスキージによって作り、このパターンをパッドに取り転写する方法で行われてきた。最近になってコンピュータとインクジェットプリンタを利用したネイルアートが用いられている。  
【０００３】
特許文献１によれば、凹部をもつ版面に版面形成媒体を複数搭載した媒体搭載手段から選ばれたアートパターン上にインクを滴下してスキージで平らにならし、パッドに転写して爪に再転写する構造を示している。
【０００４】
特許文献２には指をセットする窪みと軸対象に模様プレートを取り付けた台座があって、両側に転倒するアームを支軸に取り付けたスタンプによって、模様プレートにマニキュア液を滴下し専用ヘラを使ってつくったインクのパターンをスタンプ上に形成しアームの転倒によって転写を行うと説明されている。  
【０００５】
特許文献３では一般的なパソコンと指をセットして印刷できるプリンタによって直接アートパターンを爪表面上に印刷すると言うものである。  
【０００６】
【特許文献１】特開２００４−２１６８７２号公報
【特許文献２】実用新案登録３１０３１００号公報
【特許文献１】特開２０００−３６６３９３号公報
【０００７】
転写の作業が簡単な転写テープ方式では、テープメーカの生産計画に従うために、図柄の種類が多く出来ないこともあって多様化したオシャレに対応するのは難しい。使う人の好みの色・柄等を自分自身で作り出すような傾向が強くなってあまり有効でなくなりつつあるようである。  
【０００８】
ステンシル方式では更に種類が限定され複数色のパターンではステンシルが多数必要で作業が複雑になり難しい。また色の交換を同じパターンで続けようとすると、スキージ、ステンシルの洗浄に時間を要するため、単色で実施するようになる。  
【０００９】
インクジェットプリンタでは、爪の曲率・大きさが１人毎に又指毎に違っていて紙に印刷するようにインクの焦点を合わせるのが難しく図柄の鮮明さが失われ易く、使われるインクの粘性が低いこともあって手の爪に直接印刷することが難しい。そのためかインクジェットプリンタ方式のネイルアートではつけ爪（ネイルチップ）専用になっている例も見られる。
【発明の開示】
【発明が解決しようとする課題】
【００１０】
最も強くネイルアートを希望する需要家は、使用する場、雰囲気、時間等に合わせて演出するためにその図柄・色が自身が考えているように作られることを要求している。従い図柄や色は指定されたパターンによって決め、その印刷は多色刷りを可能としてしかも簡便さ、スピーディさを求めている。
【課題を解決するための手段】
【００１１】
ネイルアートのパターン構成を単色又は多色でコンピュータによって作り出し、画面上に示された図柄を爪表面に印刷ないしコーティングする場合のインク供給を、爪一つ単位に色インクを仕切り、インクの厚みが一定になっているインクテープを使い、このインクを取り出すために色・図柄に合わせテープの片面に微少の穴を開け、転写用パッドを押し付けて必要なパターンのインクを転写する手段を提供すること。
【発明の効果】
【００１２】
本発明はパソコンを使用して専用のインクテープを使いこなし、ネイルアートの多様なパターンをつくり、しかも単色のパターンは勿論多色でもパソコンで色の要素ごと分解して多色刷りを転写によって実現したことで周辺ボケのない鮮明な画像が得られる。また図柄はパソコンに内蔵するパターンのみならず外部から通信を利用して新しい図柄を伝送して、これを即刻爪に印刷できることが特徴であり早く・鮮明に・安価にネイルアートが実施可能となる。
【発明を実施するための最良の形態】
【００１３】
本発明の内容を図１によって説明すると、ネイルプリンタ専用のインクテープ１８は三層ないし四層からなる外側が熱可塑性プラスチックフィルム１の中間にインクを均一に塗布した繊維性支持体（不織布等）２で構成され、図１（a）の三層の場合は繊維性支持体２の片側にインク３を塗布し、図１（ｂ）では内側二層の繊維性支持体２の内側（合わせ面）にインク３が塗布してある。
【００１４】
図２（a）はインクテープ１８の作られる様子を一例をもって説明したもので、二枚のプラスチックフィルム１の片方の内側面上に必要な色のインク３を滴下し（インク供給）、インク均しで爪の大きさ程度に広げる。次に繊維性支持体２と上側のプラスチックフィルム１を重ねインクを密閉接着、スプロケット孔５明けして使用に都合の良い方法で収納する。一般的にはリール７への巻取りとなるが一定幅で折り曲げ収納ケースに入れる方法もできる。図２（b）ではサーマルヘッド１１の表面クリーニングスペース２３の置かれる位置を示してありインクテープ１８の最初に位置だしのインク基準マーク２２がある。
【００１５】
インク３の入った部分の寸法はほぼ爪１５の表面の大きさに仕切られ、パターンが多色パターンの時は色の種類が希望により増減してインクテープ１８が作られる。この場合インク３の色の配列は同順の繰り返しで構成され、一巡したところから再度同一色が繰り返し現れることになる。指定された色はパソコン２０によって選択されサーマルヘッド１１の下で止まりパターンの穴が明けられる。そのため指定されたパターンの色が多色となったときはパソコン２０上で要素色のパターンに分割され、要素色毎の印刷を順次行い各色の印刷後の組み合わせによって指定多色パターンを作り出すことができる。
【００１６】
該テープ外側からインク３を出すためにサーマルヘッド１１によって穴を開けて絵柄を描くためヘッド表面に若干の汚れが着くことがあり、これを取り除くためのヘッド清掃材料（有機溶剤が良い）４をインク３の代わりに入れた部分をインクテープ１８の所々に挿入してあって、ここにはクリーニング・スペースマーク２３がありパソコン２０が検知しているので、数パターン毎に清掃するのが良い。装置が複雑になるがヘッドクリーニングスペース２３上にサーマルヘッド１１がある時に、ヘッド側面から清掃材料をノズル１９からスプレーするとより清掃効果がある。
【００１７】
このインクテープ１８はリール７に巻かれた状態で、図３のようにテープ供給リール７、サーマルプリンタヘッド１１、転写パッド６、テープ巻取りリール８の順に配置された本発明のネイルアートプリンタに装着される。プリンタを制御するパソコン２０は一般的なよく使用されるネイルアートパターンのストックデータを沢山もっており、新しく作って登録・利用することもできる。転写される爪の大きさや位置をＣＣＤカメラ２４で監視・計測してパソコン２０に入力し転写の準備ができあがる。
【００１８】
そのパソコン２０から伝達されるパターン・色の信号にあわせインクテープ１８が移動し、プリンタサーマルヘッド１１先端部の熱によってテープ表面の極薄プラスチック１膜を溶解・貫通して必要なパターンに合わせて穴を開ける。一つの絵柄が終わると次の色を選択しサーマルヘッド１１位置にインクテープ１８が移動（構造によってはサーマルヘッド１１がインクテープ１８上に移動することもできる）、この穴のパターン上から転写パッド６を押し当てインクテープ１８内のインク３の膜を転写パッド６の表面に押し出し即時に爪１５の表面に転写する。転写パッド６は図３の図面上を上下に動き、インクテープ１８からインク３を転写して下方向に爪１５まで動いて転写し、次に上に動いてテープ粘着面１４でクリーニングする。また元の位置に戻りこれで１パターンの転写が終わりこの動作を繰り返すことになる。  
【００１９】
前項の終わりにあったテープ粘着面１４での清掃は、転写を終えた転写パッド６の転写残りの極僅かなインク３を取り去りパッド面を清掃するために粘着面を出したテープで構成されるパッドクリーニングで、転写する毎に転写パッド６を押し付け表面を清掃し、テープを１ピッチ送るようにパソコン２０から指令を出してモータが回転しテープを送る。ガムテープの粘着面を利用することで実用的には問題のないことは確認できた。
【産業上の利用可能性】
【００２０】
ネイルアートの最近の動向から多色又は天然色と高度な印刷が希望されているが、個人個人の爪の大きさ・形・曲率等が異なりこれに対応できる装置が殆どない。そのためにこの希望を満たすために高価な付け爪が販売されている。付け爪は形状が一定であってインクジェットプリンタでも印刷可能な範囲である。これは非常に効果な装置として販売されているので付け爪用のプロフェッショナルな需要のみである。本発明の実現により多色印刷が各個人の爪に実施でき、安価に利用できれば市場は拡がることが明らかである。従って一般に購入の出来る価格帯の製品を実用に供すれば更なるネイルアートの発展につながる。
【図面の簡単な説明】
【００２１】
【図１】(a) ネイルアート用インクテープの三層構造(b) ネイルアート用インクテープの四層構造
【図２】（a）ネイルアート用インクテープの作り方の説明(b) サーマルヘッド清掃用材料位置
【図３】ネイルアート・プリンタ構成
【図４】パソコンで制御するときの構成図
【符号の説明】
【００２２】
１  極薄プラスチックフィルム    ２  繊維性支持体    ３  インク    ４  サーマルヘッド清掃材料    ５  スプロケット孔    ６  転写パッド７  テープ供給リール    ８  テープ巻取リール    ９  テープ送りモータ    １０  テープフィード  スプロケット    １１  プリンタ  サーマルヘッド    １２  粘着テープ供給リール    １３  粘着テープ巻取リール    １４  テープ粘着面    １５  爪    １６  テープ  ガイドローラ    １７  台    １８  インクテープ    １９  ポンプ・ノズル（清掃用）    ２０  パソコン    ２１  プリンタ本体    ２２  インク基準マーク    ２３  サーマルヘッド・クリーニング・スペースマーク    ２４  ＣＣＤカメラ
【図１】
2007130765.tif 000003
【図２】
2007130765.tif 000004
【図３】
2007130765.tif 000005
【図４】
2007130765.tif 000006